(57)【特許請求の範囲】
【請求項１】
時間の経過と共に変化する画像の各瞬間における画像データ集合によつて構成されるキーフレームの複数の組み合わせとヘッダ部とからなるエフエクトフアイルを記憶するエフエクトフアイル保存用記憶手段と、
上記エフエクトフアイルの中から指定された範囲のキーフレームをキーフレームモジユールとして上記エフエクトフアイル保存用記憶手段からペーストし、複数種類の上記キーフレームモジユールを記憶するキーフレームモジユール保存用記憶手段と、
外部から供給される入力画像に対して特殊効果を施すことにより得られる特殊効果画像をモニタへ出力する画像処理手段と、
上記キーフレームモジユールを上記画像処理手段を介してモニタへ出力することにより当該キーフレームモジユールによる特殊効果をユーザに確認させた後、複数種類の上記キーフレームモジユールを任意に組み合わせることにより新たなエフエクトフアイルを作成させる制御手段と
を具えることを特徴とする特殊効果装置。
【請求項２】
上記制御手段は、上記キーフレームモジユールによる特殊効果をユーザに確認させる際には、上記エフエクトフアイル保存用記憶手段に記憶されている上記エフエクトフアイルが上記画像処理手段を介して上記モニタへ出力されることがないように一時的に退避させる
ことを特徴とする請求項１に記載の特殊効果装置。
【請求項３】
上記制御手段は、上記キーフレームモジユールによる特殊効果をユーザに確認させた後には、上記一時的に退避させておいた上記エフエクトフアイルを上記エフエクトフアイル保存用記憶手段に復帰させる
ことを特徴とする請求項２に記載の特殊効果装置。
【請求項４】
上記制御手段は、上記新たなエフエクトフアイルを作成した後、当該新たなエフエクトフアイルを上記エフエクトフアイル保存用記憶手段に記憶させる
ことを特徴とする請求項１に記載の特殊効果装置。
【請求項５】
上記キーフレームモジユール保存用記憶手段は、上記キーフレームモジユールを上記エフエクトフアイル保存用記憶手段からペーストする際、コピーペースト又はカットペーストの何れかにより行う
ことを特徴とする請求項１に記載の特殊効果装置。
【請求項６】
モニタと、
時間の経過と共に変化する画像の各瞬間における画像データ集合によつて構成されるキーフレームの複数の組み合わせとヘッダ部とからなるエフエクトフアイルを記憶するエフエクトフアイル保存用記憶手段と、上記エフエクトフアイルの中から指定された範囲のキーフレームをキーフレームモジユールとして上記エフエクトフアイル保存用記憶手段からペーストし、複数種類の上記キーフレームモジユールを記憶するキーフレームモジユール保存用記憶手段と、外部から供給される入力画像に対して特殊効果を施すことにより得られる特殊効果画像をモニタへ出力する画像処理手段と、上記キーフレームモジユールを上記画像処理手段を介してモニタへ出力することにより当該キーフレームモジユールによる特殊効果をユーザに確認させた後、複数種類の上記キーフレームモジユールを任意に組み合わせることにより新たなエフエクトフアイルを作成させる制御手段とからなる特殊効果装置と、
上記エフエクトフアイル保存用記憶手段に記憶されている上記エフエクトフアイルから上記キーフレームの範囲を指定させ、上記キーフレームモジユール保存用記憶手段に記憶されている複数種類の上記キーフレームモジユールを上記特殊効果の確認用に選択させる入力装置と
を具えることを特徴とする特殊効果システム。
【発明の詳細な説明】
【０００１】
【目次】
以下の順序で本発明を説明する。
発明の属する技術分野
従来の技術
発明が解決しようとする課題
課題を解決するための手段
発明の実施の形態（図１〜図１４）
発明の効果
【０００２】
【発明の属する技術分野】
本発明は、特殊効果装置及び特殊効果システムに関し、例えばキーフレーム（ＫＦ）の実行による画像編集に使用される特殊効果装置及び特殊効果システムに適用して好適なものである。
【０００３】
【従来の技術】
従来、入力画像に拡大、縮小、回転等の特殊効果を施す特殊効果装置においては、キーフレームの実行による画像の編集が行われている。
このキーフレームとは、時間の経過と共に変化する画像の各瞬間のデータ（以下、これをエフエクトデータという）、すなわち画像を構成する最小単位時間当たりのデータの集合からなり、このキーフレーム間にエフエクトデータを基にした画像が内挿されることにより連続した画像を構成している。
【０００４】
この特殊効果装置では、外部からの入力画像に対する画像データ処理を施すことにより特殊効果を与える画像データ処理部が設けられ、この画像データ処理部に設定される画像処理用データ集合をキーフレームとして保存用バツフアに記録する。
【０００５】
従つて特殊効果装置では、入力画像に対して施された特殊効果を再現するために、複数のキーフレームと、フアイル名、フアイル内の総キーフレーム数及びフアイルの属性情報の入つたヘツダ部とから構成される１つのフアイルをエフエクトフアイルという形式で保存用バツフアに記録しておく。
【０００６】
そして特殊効果装置では、特殊効果を再現する際に、このエフエクトフアイルからキーフレームを連続的に取り出しながら画像データ処理部に設定して再生することにより、キーフレームに登録されたデータによる特殊効果を連続して入力画像に施している。
【０００７】
また特殊効果装置には、編集用に複数のキーフレームの集合だけからなる１つのキーフレームモジユール（エフエクトフアイルのヘツダ部は含まれない）を登録（Copy）しておくペーストバツフアが保存用バツフアの他に設けられている。この特殊効果装置においては、エフエクトフアイルの中から編集対象としたい範囲のキーフレームを指定し、指定された範囲のキーフレームをキーフレームモジユールとして一旦ペーストバツフアに登録する。
そして特殊効果装置は、このキーフレームモジユールを再び保存用バツフアのエフエクトフアイル内の指定した位置に挿入して登録する（以下、これをペーストという）ことにより、新たなエフエクトフアイルを作成している。
【０００８】
このように特殊効果装置では、ペーストバツフアに登録されているキーフレームモジユール自体がひとつの特殊効果パターンとなつているために、ある特殊効果パターンを繰り返すようなエフエクトフアイルを作成する際には、ペーストバツフアに登録されているキーフレームモジユールを用いて保存用バツフアのエフエクトフアイル内の指定した位置にペーストして新たなエフエクトフアイルを作成している。
【０００９】
【発明が解決しようとする課題】
ところでかかる構成の特殊効果装置においては、ペーストバツフアに登録されるキーフレームモジユールは１つに限られているため、オペレータがエフエクトフアイル内に異なる複数の特殊効果パターンを繰り返し登録したい場合、特殊効果パターンを変更する度ごとにキーフレームモジユールをペーストバツフアに登録し直さなければならず、煩雑な操作を要するという問題があつた。
【００１０】
また、この特殊効果装置では、ペーストバツフアに登録されているキーフレームモジユールの特殊効果パターンは、一旦保存用バツフアにエフエクトフアイルとして登録した後に画像データ処理部で再生してみなければわからないために、今あるエフエクトフアイルの内容を変化させることなく、キーフレームモジユールの特殊効果パターンだけを確認することはできないという問題があつた。
【００１１】
本発明は以上の点を考慮してなされたもので、外部からの入力画像に特殊効果を与える際の編集作業を容易にし得る特殊効果装置及び特殊効果システムを提案しようとするものである。
【００１２】
【課題を解決するための手段】
かかる課題を解決するため本発明においては、時間の経過と共に変化する画像の各瞬間における画像データ集合によつて構成されるキーフレームの複数の組み合わせとヘッダ部とからなるエフエクトフアイルを記憶するエフエクトフアイル保存用記憶手段と、エフエクトフアイルの中から指定された範囲のキーフレームをキーフレームモジユールとしてエフエクトフアイル保存用記憶手段からペーストし、複数種類のキーフレームモジユールを記憶するキーフレームモジユール保存用記憶手段と、外部から供給される入力画像に対して特殊効果を施すことにより得られる特殊効果画像をモニタへ出力する画像処理手段と、キーフレームモジユールを画像処理手段を介してモニタへ出力することにより当該キーフレームモジユールによる特殊効果をユーザに確認させた後、複数種類のキーフレームモジユールを任意に組み合わせることにより新たなエフエクトフアイルを作成させる制御手段とを設けるようにする。
【００１３】
これにより、エフエクトフアイル保存用記憶手段のエフエクトフアイルについてはその内容を変化させることがなく保持し得、キーフレームモジユールにより入力画像に施されるべき特殊効果を画像処理手段及びモニタを介してユーザに目視確認させた後、複数種類のキーフレームモジユールを任意に組み合わせることにより新たなエフエクトフアイルを作成することができる。
【００１４】
【発明の実施の形態】
以下図面について、本発明の一実施例を詳述する。
【００１５】
図１においては、本発明による特殊効果システム１の全体構成を示す。
この特殊効果システム１は、外部からの入力画像をフレームメモリ（図示せず）に取り込み、拡大、縮小、回転等の特殊効果を入力画像に施して出力する特殊効果装置２、特殊効果装置２により特殊効果の施された画像を映し出すモニタ３、特殊効果に関するパラメータ設定用のメニユー画面を映し出すメニユー表示用モニタ４、実際にパラメータを設定して入力するための操作パネル５を備えた入力装置６から構成されている。
【００１６】
ここで図２に示すように、特殊効果装置２は、エフエクトフアイルのキーフレームを構成する画像処理用データ集合に基づいて入力画像に対して特殊効果を施す画像データ処理部７、複数のキーフレーム及びヘツダ部からなるエフエクトフアイルを登録しておくためのレジスタでなる保存用バツフア８、エフエクトフアイルを作成するためのペースト用に用いられるキーフレームモジユールを複数（ｎ）個登録し得るＲＡＭでなるペーストバツフア９、入力装置６からの制御信号Ｓ1 に応じて画像データ処理部７、保存用バツフア８及びペーストバツフア９をそれぞれ制御する制御手段としてのＣＰＵ１０から構成されている。
【００１７】
また、この特殊効果装置２では、ＣＰＵ１０の制御によりペーストバツフア９からオペレータの選択したキーフレームモジユールを直接画像データ処理部７に設定して再生し得るようになされている。
従つて、特殊効果装置２はキーフレームモジユールを保存用バツフア８に登録してエフエクトフアイルの内容を変更することなく、直接キーフレームモジユールを画像データ処理部７に設定して再生することにより、ペーストバツフア９に登録されているキーフレームモジユールの内容をモニタ３で実際の画像として確認できるようになされている。
【００１８】
次に、この特殊効果装置２によるエフエクトフアイルの実際上の編集方法については、以下に説明する。
図３に示すように、特殊効果装置２において、例えば保存用バツフア８にはＡ、Ｂ、Ｃ及びＤからなる４つのキーフレームがこの順序で登録されている。
またこの時点において、ペーストバツフア９には何も登録されていない状態である。
【００１９】
この状態において、特殊効果装置２では、この保存用バツフア８に登録されている「Ａ、Ｂ、Ｃ、Ｄ」４つのキーフレームからなるエフエクトフアイルを画像データ処理部７に設定して再生することにより、特殊効果の施された出力画像をモニタ３の画面に映し出す。
このとき図４に示すように、モニタ３の画面には「Ａ→Ｂ→Ｃ→Ｄ」と連続して特殊効果の施された出力画像が映し出される。ここで図４中の（１）〜（３）は、画像の変化した順序を示している。
【００２０】
ところで特殊効果装置２では、新たなエフエクトフアイルを作成するために、編集対象としたいキーフレームの範囲を入力装置６に備え付けられた操作パネル５によつて指定し、指定された範囲のキーフレームをキーフレームモジユールとしてペーストバツフア９に登録する。
このときの登録の仕方には、コピーペーストとカツトペーストと呼ばれる２通りの方法がある。
【００２１】
コピーペーストとは、保存用バツフア８に登録されているエフエクトフアイルの中から指定された範囲のキーフレームをペーストバツフア９に登録し、このとき指定された範囲のキーフレーム及びエフエクトフアイルを構成するキーフレームはそのまま残しておく方法である。
またカツトペーストとは、保存用バツフア８に登録されているエフエクトフアイルの中から指定された範囲のキーフレームをペーストバツフア９に登録し、このとき指定された範囲のキーフレームを保存用バツフア８から削除してしまう方法である。
【００２２】
ここでは、図５に示すように、まずオペレータが操作パネル５を操作して保存用バツフア８に登録されている「Ａ、Ｂ、Ｃ、Ｄ」４つのキーフレーム（図３）の中から、「Ａ、Ｂ」２つのキーフレームを指定し、ペーストバツフア９にコピーペーストでペースト１（キーフレームモジユール）として登録する。
このとき保存用バツフア８には、当然「Ａ、Ｂ、Ｃ、Ｄ」４つのキーフレームが残つている。
【００２３】
次に、オペレータが操作パネル５を操作して保存用バツフア８から「Ｂ、Ｃ、Ｄ」３つの範囲のキーフレームを指定し、ペーストバツフア９にカツトペーストでペースト２（キーフレームモジユール）として登録する。
このとき保存用バツフア８には、「Ｂ、Ｃ、Ｄ」のキーフレームが削除されて「Ａ」のキーフレームだけが残つたエフエクトフアイルとなる。
【００２４】
これによりペーストバツフア９には、「Ａ、Ｂ」からなるキーフレームモジユールがペースト１として、「Ｂ、Ｃ、Ｄ」からなるキーフレームモジユールがペースト２として登録される。
また、ここでは便宜上、登録されたキーフレームモジユールの順にペースト１、ペースト２とし、入力装置６から独立して選択可能な状態で登録されているものとする。
【００２５】
この状態で、特殊効果装置２が保存用バツフア８に残つた「Ａ」のエフエクトフアイルを画像データ処理部７に設定して再生すると、図６に示すような「Ａ」のキーフレームでなる出力画像をモニタ３の画面に映し出す。
また特殊効果装置２では、オペレータがペーストバツフア９に登録されているペースト１又はペースト２の内容（特殊効果パターン）を確認したい場合、ペースト１又はペースト２のいずれかを操作パネル５で選択し、直接画像データ処理部７に設定して再生することにより、保存用バツフア８を介することなくモニタ３の画面に特殊効果の施された実際の画像を映し出して確認し得るようになされている。
【００２６】
このとき、オペレータがペースト１を選択して画像データ処理部７に設定して再生すると、図７に示すようにモニタ３の画面には、「Ａ→Ｂ」と特殊効果の施された出力画像を映し出す。
またオペレータがペースト２を選択して画像データ処理部７に設定して再生すると、図８に示すようにモニタ３の画面には、「Ｂ→Ｃ→Ｄ」と特殊効果の施された出力画像を映し出す。これにより、オペレータはペースト１及びペースト２の内容を保存用バツフア８を介することなくモニタ３の画面で実際の出力画像として確認できる。
【００２７】
続いて、図９に示すように特殊効果装置２では、オペレータがペースト１及び又はペースト２の特殊効果パターンをモニタ３に映し出された出力画像で確認した後、保存用バツフア８の「Ａ」のキーフレームの後にペースト２を２回ペーストし、続いてペースト１を１回ペーストすると、保存用バツフア８には「Ａ、Ｂ、Ｃ、Ｄ、Ｂ、Ｃ、Ｄ、Ａ、Ｂ」でなるエフエクトフアイルが作成される。
このように、指定したキーフレームの後ろにペーストすることをペーストアフタと呼び、指定したキーフレームの前にペーストすることをペーストビフオアと呼ぶことにする。
【００２８】
特殊効果装置２では、この「Ａ、Ｂ、Ｃ、Ｄ、Ｂ、Ｃ、Ｄ、Ａ、Ｂ」でなるエフエクトフアイルを画像データ処理部７に直接設定して再生することにより、図１０に示すような（１）〜（８）の順序で「Ａ→Ｂ→Ｃ→Ｄ→Ｂ→Ｃ→Ｄ→Ａ→Ｂ」と連続して特殊効果の施された出力画像をモニタ３の画面に映し出すようになされている。
【００２９】
以上の構成において、図１１には、ペーストバツフア９にデータ（キーフレームモジユール：ペースト１、ペースト２）を登録するキーフレーム編集の処理手順ＲＴ１を示す。
【００３０】
すなわち特殊効果装置２は、処理手順ＲＴ１の開始ステツプから入つてステツプＳＰ１１に移る。
ステツプＳＰ１１において、特殊効果装置２では、編集中の全てのキーフレームについて修正（Modify All）するための〔ＭＯＤ  ＡＬＬ〕ボタンが、メニユー表示用モニタ４に映し出されたメニユー上でオペレータにより選択されたか否かをＣＰＵ１０が判断する。
ここで否定結果が得られると、特殊効果装置２ではＣＰＵ１０がキーフレーム編集しないと判断してステツプＳＰ１８に移つて処理を終了する。
【００３１】
またステツプＳＰ１１で肯定結果を得ると、特殊効果装置２はステツプＳＰ１２に移る。
ステツプＳＰ１２において、特殊効果装置２は、ＣＰＵ１０がオペレータにより入力された編集したいキーフレームの範囲を受け付ける。
次にステツプＳＰ１３において、特殊効果装置２はメニユー上の〔コピーペースト〕ボタンがオペレータにより選択されたか否かをＣＰＵ１０が判断する。
【００３２】
ここで肯定結果が得られると、特殊効果装置２はステツプＳＰ１４に移つて、ＣＰＵ１０が指定された範囲のキーフレームをペーストバツフア９にコピーペーストして、ステツプＳＰ１８に移つて処理を終了する。
またステツプＳＰ１３で否定結果を得ると、特殊効果装置２はステツプＳＰ１５に移る。ステツプＳＰ１５において、特殊効果装置２はメニユー上の〔カツトペースト〕ボタンがオペレータにより選択されたか否かをＣＰＵ１０が判断する。
【００３３】
ここで肯定結果が得られると、特殊効果装置２はステツプＳＰ１６に移つて、指定された範囲のキーフレームをペーストバツフア９に登録すると共に、指定された範囲のキーフレームを保存用バツフア８から削除してステツプＳＰ１８に移つて処理を終了する。
またステツプＳＰ１５で否定結果を得ると、特殊効果装置２はステツプＳＰ１７に移る。ステツプＳＰ１７において、特殊効果装置２はコピーペーストやカツトペースト以外のキーフレームについての修正を施して、ステツプＳＰ１８に移つて処理手順ＲＴ１を終了する。
【００３４】
かくして、特殊効果装置２では、オペレータが所望する特殊効果パターンでなるキーフレームモジユールをコピーペースト又はカツトペーストによりペースト１やペースト２としてペーストバツフア９に登録しておくことにより、オペレータがペースト１及び又はペースト２を用いて保存用バツフア８に登録して種々の特殊効果パターンでなるエフエクトフアイルを作成できる。
【００３５】
次に、図１２にはペーストバツフア９から保存用バツフア８にデータ（キーフレームモジユール）を登録して新たなエフエクトフアイルを作成するキーフレーム編集の処理手順ＲＴ２を示す。
すなわち特殊効果装置２は、処理手順ＲＴ２の開始ステツプから入つてステツプＳＰ２１に移る。
【００３６】
ステツプＳＰ２１において、特殊効果装置２では、〔ペーストアフタ〕ボタンが、メニユー表示用モニタ４に映し出されたメニユー上でオペレータにより選択されたか否かをＣＰＵ１０が判断する。
ここで否定結果が得られると、特殊効果装置２ではＣＰＵ１０がキーフレーム編集しないと判断してステツプＳＰ２５に移つて処理を終了する。
【００３７】
またステツプＳＰ２１で肯定結果が得られると、特殊効果装置２はステツプＳＰ２２に移る。ステツプＳＰ２２において、特殊効果装置２では、保存用バツフア８にペーストアフタするためのキーフレームモジユール（ペースト１又はペースト２）がオペレータにより指定されたか否かをＣＰＵ１０が判断する。
ここで否定結果が得られると、特殊効果装置２はステツプＳＰ２３に移つて、最後に登録されたキーフレームモジユール（ここではペースト２）を保存用バツフア８に登録する。
【００３８】
またステツプＳＰ２２で肯定結果が得られると、特殊効果装置２はステツプＳＰ２４に移る。ステツプＳＰ２４において、特殊効果装置２では、ＣＰＵ１０が指定されたキーフレームモジユール（ペースト１又はペースト２）を保存用バツフア８の指定されたキーフレームの後に登録して、ステツプＳＰ２５に移つて処理手順ＲＴ２を終了する。
かくして、特殊効果装置２では、オペレータがキーフレームモジユール（ペースト１又はペースト２）を保存用バツフア８の指定されたキーフレームの後に登録することにより、新たな種々のエフエクトフアイルを作成できる。
【００３９】
続いて図１３には、ペーストバツフア９に登録されているキーフレームモジユール（ペースト１又はペースト２）の内容を保存用バツフア８を介することなくモニタ３の画面で確認するときの処理手順ＲＴ３を示す。
すなわち特殊効果装置２は、処理手順ＲＴ３の開始ステツプから入つてステツプＳＰ３１に移る。
【００４０】
ステツプＳＰ３１において、特殊効果装置２では、ペーストバツフア９に登録されているキーフレームモジユールを直接画像データ処理部７に設定して再生させるための〔ペーストコール〕ボタンが、メニユー表示用モニタ４に映し出されたメニユー上でオペレータにより選択されたか否かをＣＰＵ１０が判断する。
ここで否定結果が得られると、ＣＰＵ１０はペーストバツフア９に登録されているキーフレームモジユールをペーストコールしないと判断して、ステツプＳＰ４１に移つて処理を終了する。
【００４１】
また、ステツプＳＰ３１において肯定結果が得られると、特殊効果装置２はステツプＳＰ３２に移る。
ステツプＳＰ３２において、特殊効果装置２では、ＣＰＵ１０が現在、保存用バツフア８で編集されて登録されているエフエクトフアイルを一時的に待避させてステツプＳＰ３３に移る。
【００４２】
ステツプＳＰ３３において、特殊効果装置２では、オペレータによりモニタ３の画面で確認したいキーフレームモジユール（ペースト１又はペースト２）が指定されるとステツプＳＰ３４に移る。
ステツプＳＰ３４において、特殊効果装置２では、ＣＰＵ１０が指定されたキーフレームモジユールの再生準備をして待機する。
【００４３】
そしてステツプＳＰ３５において、特殊効果装置２では、オペレータにより再生（ＲＵＮ）ボタンが押されたか否かをＣＰＵ１０が判断する。
ここで否定結果が得られると、特殊効果装置２はステツプＳＰ３４に戻つて再度、再生準備をして待機する。
またステツプＳＰ３５において、肯定結果が得られると、特殊効果装置２はステツプＳＰ３６に移る。
【００４４】
ステツプＳＰ３６において、特殊効果装置２では、ＣＰＵ１０が指定されたキーフレームモジユールのデータを画像データ処理部７に転送して再生する。
ステツプＳＰ３７において、特殊効果装置２は、オペレータによりメニユー上の〔停止（ＳＴＯＰ）〕ボタンが押されたか否かをＣＰＵ１０が判断する。
【００４５】
ここで否定結果が得られると、特殊効果装置２はステツプＳＰ３８に移る。ステツプＳＰ３８において、特殊効果装置２は、指定されたキーフレームモジユールを最後まで再生した後に停止してステツプＳＰ３９に移る。
またステツプＳＰ３７において肯定結果が得られると、特殊効果装置２はステツプＳＰ４０に移る。
【００４６】
ステツプＳＰ４０において、特殊効果装置２は、ＣＰＵ１０が指定されたキーフレームモジユールの再生をすぐに停止してステツプＳＰ３９に移る。
ステツプＳＰ３９において、特殊効果装置２は、指定されたキーフレームモジユールを再生するモードを抜けて、待避させておいたエフエクトフアイルを復帰させ、ステツプＳＰ４１に移つて処理手順ＲＴ３を終了する。
かくして、特殊効果装置２では、オペレータがキーフレームモジユール（ペースト１又はペースト２）のデータを画像データ処理部７に直接設定して再生することにより、保存用バツフア８を介してエフエクトフアイルの内容を変更することなく、指定したキーフレームモジユールの内容をモニタ３の画面で確認できる。
【００４７】
以上の構成によれば、特殊効果装置２では、ペーストバツフア９にそれぞれ異なる複数個の特殊効果パターンでなるキーフレームモジユール（ペースト１〜ペーストｎ）を登録し得るようにしたことにより、オペレータがエフエクトフアイル内に異なる複数の特殊効果パターンを繰り返し登録する場合においても、ペーストバツフア９から所望のキーフレームモジユールを選択してペーストすれば良く、エフエクトフアイル作成時の操作を簡単にすることができる。
【００４８】
また特殊効果システム１では、特殊効果装置２のペーストバツフア９に登録されているキーフレームモジユールのデータを直接画像データ処理部７に設定して再生できるようにしたことにより、キーフレームモジユールを一旦保存用バツフア８に登録してエフエクトフアイルの内容を変化させることなく、ペーストバツフア９に登録されているキーフレームモジユールの内容をモニタ３の画面上で確認することができる。
【００４９】
なお上述の実施例においては、ペーストバツフア９に複数個（１〜ｎ）のキーフレームモジユールを登録するようにした場合について述べたが、本発明はこれに限らず、例えば図１４に示すように、キーフレームモジユール（ペースト１、ペースト２）を個々に登録するためのペーストバツフアを複数個（ペーストバツフア１、ペーストバツフア２）設けたり、又はリング状のリングバツフアを設けて順次キーフレームモジユールを登録するようにしても良い。
この場合にも、上述の実施例と同様の効果を得ることができる。
【００５０】
また上述の実施例においては、第１の記憶手段としてレジスタでなる保存用バツフア８を用いるようにした場合について述べたが、本発明はこれに限らず、他の種々の記憶手段を用いても良い。
【００５１】
さらに上述の実施例においては、第２の記憶手段としてＲＡＭでなるペーストバツフア９を用いるようにした場合について述べたが、本発明はこれに限らず、他の種々の記憶手段を用いても良い。
【００５２】
【発明の効果】
上述のように本発明によれば、エフエクトフアイル保存用記憶手段のエフエクトフアイルについてはその内容を変化させることがなく保持し得、キーフレームモジユールにより入力画像に施されるべき特殊効果を画像処理手段及びモニタを介してユーザに目視確認させた後、複数種類のキーフレームモジユールを任意に組み合わせることにより新たなエフエクトフアイルを作成することができ、かくして外部からの入力画像に対して特殊効果を与える際の編集作業を容易にし得る特殊効果装置及び特殊効果システムを実現することができる。
【図面の簡単な説明】
【図１】本発明の一実施例による特殊効果システムの構成を示すブロツク図である。
【図２】本発明の一実施例による特殊効果装置の構成を示すブロツク図である。
【図３】本発明の一実施例による特殊効果装置の編集過程（１）を示す略線図である。
【図４】本発明の一実施例によるモニタ上の画像再生例（１）を示す略線図である。
【図５】本発明の一実施例による特殊効果装置の編集過程（２）を示す略線図である。
【図６】本発明の一実施例によるモニタ上の画像再生例（２）を示す略線図である。
【図７】本発明の一実施例によるモニタ上の画像再生例（３）を示す略線図である。
【図８】本発明の一実施例によるモニタ上の画像再生例（４）を示す略線図である。
【図９】本発明の一実施例による特殊効果装置の編集過程（３）を示す略線図である。
【図１０】本発明の一実施例によるモニタ上の画像再生例（５）を示す略線図である。
【図１１】本発明の一実施例によるペーストバツフアにデータを登録するキーフレーム編集の処理手順を示すフローチヤートである。
【図１２】本発明の一実施例によるペーストバツフアから保存用バツフアにデータを登録してエフエクトフアイルを作成するキーフレーム編集の処理手順を示すフローチヤートである。
【図１３】本発明の一実施例によるペーストバツフアに登録されている内容を確認するときの処理手順を示すフローチヤートである。
【図１４】本発明の他の実施例による特殊効果装置の構成を示すブロツク図である。
【符号の説明】
１……特殊効果システム、２……特殊効果装置、３……モニタ、４……メニユー表示用モニタ、５……操作パネル、６……入力装置、７……画像データ処理部、８……保存用バツフア、９……ペーストバツフア、１０……ＣＰＵ。
【図１】
0003865146.tif 000002
【図３】
0003865146.tif 000003
【図２】
0003865146.tif 000004
【図４】
0003865146.tif 000005
【図５】
0003865146.tif 000006
【図６】
0003865146.tif 000007
【図７】
0003865146.tif 000008
【図８】
0003865146.tif 000009
【図９】
0003865146.tif 000010
【図１０】
0003865146.tif 000011
【図１１】
0003865146.tif 000012
【図１２】
0003865146.tif 000013
【図１３】
0003865146.tif 000014
【図１４】
0003865146.tif 000015